【手続補正書】
【提出日】平成15年9月2日(2003.9.2)
【手続補正１】
【補正対象書類名】明細書
【補正対象項目名】特許請求の範囲
【補正方法】変更
【補正の内容】
【特許請求の範囲】
【請求項１】
渋滞情報等の道路情報を発信する道路情報送信装置であって、
道路情報を記憶保持する記憶手段と、
該記憶手段に記憶された道路情報に基づき将来の道路状況を予測する予測手段と、
該予測手段による予測結果を送信する予測結果送信手段とを備えた道路情報送信装置において、
前記予測手段は、道路状況の変化方向を予測因子とすることを特徴とする道路情報送信装置。
【請求項２】
前記渋滞情報等の道路情報を発信する道路情報発信局からの道路情報を受信し、該道路情報を表示する道路情報表示装置であって、
進行予定の経路における地点の通過時間を予測する通過時間予測手段と、
該通過時間予測手段により予測された通過時間における道路状況を予測する地点状況予測手段と、
該地点状況予測手段により予測された道路状況を表示する道路状況表示手段と、
前記地点状況予測手段は、受信された前記道路情報発信局からの道路状況を記憶保持する記憶手段と、
該記憶手段に記憶された道路情報に基づき将来の道路状況を予測する予測手段とを備えた道路情報表示装置において、
該予測手段は、道路状況の変化方向を予測因子とすることを特徴とする道路情報表示装置。
【手続補正２】
【補正対象書類名】明細書
【補正対象項目名】０００５
【補正方法】変更
【補正の内容】
【０００５】
【課題を解決するための手段】
本発明は上記目的を達成するために、渋滞情報等の道路情報を発信する道路情報送信装置であって、道路情報を記憶保持する記憶手段と、該記憶手段に記憶された道路情報に基づき将来の道路状況を予測する予測手段と、該予測手段による予測結果を送信する予測結果送信手段とを備えた道路情報送信装置において、前記予測手段は、道路状況の変化方向を予測因子とすることを特徴とする。


【手続補正３】
【補正対象書類名】明細書
【補正対象項目名】０００６
【補正方法】変更
【補正の内容】
【０００６】
又、前記渋滞情報等の道路情報を発信する道路情報発信局からの道路情報を受信し、該道路情報を表示する道路情報表示装置であって、進行予定の経路における地点の通過時間を予測する通過時間予測手段と、該通過時間予測手段により予測された通過時間における道路状況を予測する地点状況予測手段と、該地点状況予測手段により予測された道路状況を表示する道路状況表示手段と、前記地点状況予測手段は、受信された前記道路情報発信局からの道路状況を記憶保持する記憶手段と、該記憶手段に記憶された道路情報に基づき将来の道路状況を予測する予測手段とを備えた道路情報表示装置において、該予測手段は、道路状況の変化方向を予測因子とすることを特徴とする。


【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１７
【補正方法】変更
【補正の内容】
【００１７】
１６は各部からの受信データ（道路情報等）や時間、日付、位置等を記憶する記憶部で、ＲＡＭ、磁気ディスク等により構成される。１７はコンパクトディスク（ＣＤ）に記憶された地図データを再生するＣＤ−ＲＯＭプレーヤ等からなる地図データ部で、指示に従って必要な地図データを出力する。１８は各部からの信号の処理、各構成要素の制御を行うマイクロコンピュータ等によって構成される制御部（以下マイコンと称する）である。１９はナビゲーション装置の表示部でＣＲＴ又は液晶画面等で構成され地図データ部１７から出力された地図及び各部から与えられたデータをマイコン１８が処理して必要に応じたデータを表示部１９に表示する。２０は移動局７の操作、例えばモードの切換えや動作指示、目的地の入力等を行うための操作部で押ボタンスイッチやジョイスティックから構成されている。


【手続補正１２】
【補正対象書類名】明細書
【補正対象項目名】００１８
【補正方法】変更
【補正の内容】
【００１８】
次に記憶部４或いは記憶部１６に記憶されるデータ（道路情報）について図を用いて説明する。図２は道路情報の記憶内容を示すデータ内容表である。３０は月、３１は曜日、３２は時間帯（表示時間から１時間の間）、３３は天候、３４は道路番号、３５は渋滞確立そして３６は平均渋滞距離を示している。道路番号３４は主要交差点で区切られた道路毎に所定の番号を付したもので、この道路番号により或る道路（例えば国道）に於ける特定区間が特定される。渋滞確立３５は月３０、曜日３１、時間帯３２そして天候３３の条件のもとで渋滞が発生した確率で、従来の同条件に於ける渋滞の発生確立により算出される。


【手続補正１３】
【補正対象書類名】明細書
【補正対象項目名】００１９
【補正方法】変更
【補正の内容】
【００１９】
渋滞距離３６は渋滞が発生した場合の平均距離で、従来の同条件に於いて渋滞が発生した場合に於ける平均渋滞距離により算出される（渋滞非発生時のデータは除去される）。つまり、道路情報３７は１月の月曜日０時〜１時で天候の晴れの場合に於ける道路番号１の道路区間では、２０％の確立で平均１．８Ｋｍの渋滞が発生しているというデータである。同様に、道路情報４０は８月の日曜日１９時〜２０時で天候は雨の場合に於ける道路番号４の道路区間では渋滞は発生していないというデータである。そして、このようなデータは道路情報が入力される毎に更新（算出）される。


【手続補正１４】
【補正対象書類名】明細書
【補正対象項目名】００２０
【補正方法】変更
【補正の内容】
【００２０】
次に本発明の一実施例におけるマイコン６の行う処理について図３を用いて説明する。尚、本第１実施例では渋滞予測を基地局１側で行う。図３（Ａ）は予測処理（渋滞予測を行い、その予測に基づく道路情報を送信する処理）を示すフローチャートである。この処理は道路情報の送信タイミングに合わせて開始される。


【手続補正１５】
【補正対象書類名】明細書
【補正対象項目名】００３０
【補正方法】変更
【補正の内容】
【００３０】
このように第１の実施例においては、自車位置から目的地迄の最短距離経路と予測される通過時点における渋滞状態が表示されるので、より適切な形態で渋滞情報が表示される。次に移動局７に於ける渋滞予測情報の利用（表示）の他の例について説明する。図７は第２実施例に於けるマイコン１８の処理を表すフローチャートである。マイコン１８は経路探索開始操作が行われれば本処理を開始する。ステップＳ４１では雨センサ１３、ＧＰＳ受信機１５の出力及び使用者による操作部２０の入力操作に基づき自車の現在位置、目的地、天候データを入力してステップＳ４２に移る。ステップＳ４２では、目的地まで最短時間で行けるであろう経路を演算し、ステップＳ４３に移る。


【手続補正１６】
【補正対象書類名】明細書
【補正対象項目名】００３３
【補正方法】変更
【補正の内容】
【００３３】
(３)経路が目的地に達するまで（２）の処理を繰り返して行い、到達必要時間の合計時間が最短の経路を最短時間経路として、表示部１９に表示する。ステップＳ４３では、記憶部１６に記憶されている渋滞予測情報から各地点に於ける通過予測時間に応じた時間の予測渋滞発生確率及び予測渋滞距離を読み出し、表示部１９に表示されている地図上の該当地点に渋滞予測値として表示する。


【手続補正１７】
【補正対象書類名】図面
【補正対象項目名】図２
【補正方法】変更
【補正の内容】
【図２】
1998079094.tif 000001